(57)【要約】【課題】専用のごみ袋を使用する必要がなく、汚れが付き難く、清掃しやすく衛生的で、容易に移動できる三角コーナーがない。【解決手段】  三角コーナー１は、略扇形のフレーム形状に線材から成形された本体枠１０と、本体枠上に配置可能で本体枠より大きな略相似形に線材からフレーム形状に成形された保持枠２０とを備えて構成される。本体枠１０は３本の脚部１４ａ〜１４ｃを持ち、保持枠２０は、開口端３２が外側に折り込まれたごみ袋３０を保持し、その一部（側辺２２ｄ、２２ｅ、頂辺２２ｆ）が本体枠の上で外側にずれて本体枠上に配置され、折り込まれたごみ袋の開口端３２を本体枠の対応する辺（側辺１２ｄ、１２ｅ、頂辺１２ｆ）と本体枠上でその外側にずれて位置するその一部との間で挟持する。【選択図】図４
0003132623.tif 000002
【実用新案登録請求の範囲】
【請求項１】
線材からなる複数の脚部を持ち、略扇形のフレーム形状に線材から成形された本体枠と、
本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠と、
を備えたフレーム式三角コーナー。
【請求項２】
線材からなる複数の脚部を持ち、略扇形のフレーム形状に線材から成形された本体枠と、
本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠と、
を備え、
保持枠は本体枠の３つの隅部を横切ってそれぞれ架設される３つのコーナー辺を隅部に持ち、線材からなる突出片が本体枠の隅部に内側から当接可能にコーナー辺から下方にそれぞれ延びているフレーム式三角コーナー。
【請求項３】
線材からなる複数の脚部を持ち、略扇形のフレーム形状に線材から成形された本体枠と、
本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠と、
を備え、
保持枠は本体枠の３つの隅部を横切ってそれぞれ架設される３つのコーナー辺を隅部に持ち、線材からなる突出片が本体枠の隅部に内側から当接可能にコーナー辺から下方にそれぞれ延び、
脚部は本体枠に、突出片は保持枠にそれぞれ溶着されているフレーム式三角コーナー。
【請求項４】
線材からなる複数の脚部を持ち、略扇形のフレーム形状に線材から成形された本体枠と、
本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠と、
を備え、
保持枠は本体枠の３つの隅部を横切ってそれぞれ架設される３つのコーナー辺を隅部に持ち、線材からなる突出片が本体枠の隅部に内側から当接可能にコーナー辺から下方にそれぞれ延び、
本体枠は脚部と一体に、保持枠は突出片と一体に、線材を折曲加工してそれぞれ成形されているフレーム式三角コーナー。
【請求項５】
本体枠、保持枠は、鋼材の線材からいずれも成形されていることを特徴とする請求項１〜４のいずれか記載のフレーム式三角コーナー。
【請求項６】
本体枠の脚部は、略扇形の本体枠のかなめとなる隅部に１つ、その円弧形状の頂辺に２つの少なくとも３つ設けられ、本体枠のかなめとなる隅部の脚部は、他の脚部より短く形成され、
滑り止めキャップが、その被着高さを調整可能で着脱自在に本体枠の脚部の下端に被着されていることを特徴とする請求項１〜５のいずれか記載のフレーム式三角コーナー。
【考案の詳細な説明】
【技術分野】
【０００１】
この考案は、生ごみなどを収納するために台所のシンク（流し）などに設置されるフレーム式三角コーナーに関する。
【背景技術】
【０００２】
台所のシンクなどのコーナー（隅部）にたとえばプラスチックなどからなるごみ容器、いわゆる三角コーナーが設置され、調理などにおいて生じた生ごみなどのごみを三角コーナーに投入、収納している。
三角コーナーは、台所で使用されるものであるため、汚れが付き難く、清掃しやすい衛生的なものであることが望まれる。また、水分を含む生ごみを収納するために、水はけがよく（水分がよく切れ）、シンク回りの清掃のためにも容易に移動できることが望ましい。
【０００３】
このような三角コーナー（ごみ容器）として、シンクのコーナーに直接設置する略扇形状のボックス式（かご式）の三角コーナーが広く知られている。ボックス式三角コーナーは、シンクに直接設置すればよいため設置、移動が容易である反面、その表面が広く、底面や側面などの表面に生ごみが付着しやすい。そのため、スポンジに洗剤を付けるなどして定期的に掃除して付着した生ごみを除く必要がある。そして、定期的な掃除を怠たると、その表面に付着した生ごみが薄膜状のいわゆるぬめりとなり、ぬめりが悪臭の原因となるだけでなく、カビがぬめりに生じやすく、衛生上からも好ましくない。そのため、三角コーナーを定期的に掃除して、異臭、カビの原因となるぬめりの発生を防止する必要がある。しかし、底面や側面に水きり孔が形成されており、水きり孔は小さくて多数設けられているため、水きり孔に生ごみが付着しやすく、掃除し難い。
【０００４】
そのため、生ごみなどのごみを三角コーナーに直接投入せず、通常は、三角コーナー内にごみ袋を配置し、ごみをごみ袋に投入、収納することにより、三角コーナーの表面と生ごみとの接触を避けてぬめりの発生を防止している。ごみ袋として、水はけのよいメッシュのごみ袋が使用されるが、スーパーのレジ袋などの一般的なごみ袋もその底部に孔をあければ使用できる。
しかし、三角コーナーの上縁にごみ袋の上端（開口端）を折り返してごみ袋を装着しているにすぎないため、ごみ袋の開口端の一部または全部が三角コーナーの上端から簡単に外れて、内部の生ごみがごみ袋の外に飛び出るおそれがある。そして、ごみ袋から飛び出た生ごみが三角コーナーの表面などに付着してぬめりを発生させており、ボックス式三角コーナーではごみ袋を使用してもぬめりの発生を十分に防止できない。
いずれにせよ、ボックス式三角コーナーでは、生ごみの付着する面積が広いという構造から、生ごみが付着しやすくてぬめりの発生を十分に防止できず、衛生的といえない。
【０００５】
プラスチックから成形されたボックス式三角コーナーの代わりに、線材から枠体（フレーム）を形成したフレーム式（フレーム形状）の三角コーナーも知られている。たとえば特公平０５−２０３２１号公報には、リング状の本体枠にメッシュ状のごみ袋を装着し、本体枠に取付けた吸着盤をシンクの側面に吸着させて、三角コーナーをシンクに設置するフレーム式三角コーナーが記載されている。
フレーム式三角コーナーでは、生ごみの付着する三角コーナーの表面が、ボックス式よりも遥かに少ないため、生ごみが付着し難く、ぬめりの発生が防止できる。
【０００６】
また、特開２００３−２２６４０２号公報には、三角コーナーの内部にぬめり防除薬剤を収納してぬめりの発生を防止する略フレーム式の三角コーナーが記載されている。
【特許文献１】特公平０５−０２０３２１号公報
【特許文献２】特開２００３−２２６４０２号公報
【考案の開示】
【考案が解決しようとする課題】
【０００７】
しかし、特公平０５−０２０３２１号公報記載の三角コーナーでは、ごみ袋の開口端を絞り、本体枠の径よりもごみ袋の開口端の径を小さくすることによって、本体枠からのごみ袋の外れを防止している。そのため、本体枠に装着されるごみ袋は開口端を絞った特殊な形状のものに限定され、専用のごみ袋しか使用できない。
【０００８】
メッシュのごみ袋を使用すれば、水分の滞留が避けられるとはいえ、ごみ袋からのごみ袋の外れは、絞られた開口端によって阻止されているにすぎず、確実に装着されているとはいえない。そのため、水はけのよいメッシュのごみ袋を使用しても、ごみ袋に多くのごみが収納されるとその重さに耐えられずに、ごみ袋が本体枠から外れるおそれがある。
また、三角コーナーはシンクの側面への吸着盤の吸着によって保持されており、吸着盤の吸着がごみ袋に収納されたごみの重さで外れて、三角コーナー自体がごみ袋を伴って落下するおそれがある。ごみ袋が本体枠から外れたり、吸着盤の吸着が外れて三角コーナーがごみ袋を伴って落下すると、ごみ袋の内部のごみが周囲に散乱し、ごみの片付けという面倒な作業が必要となる。
【０００９】
また、開口端の絞ったごみ袋は、その開口端を折り込んで本体枠に直接装着することができず、本体枠への装着が煩雑で手間を要する。
そして、吸着盤でシンクの側面に吸着されて所定位置に固定されるため、三角コーナーの存在によって、シンクの掃除が容易に行なえない。
さらに、吸着盤を枢動自在とするブラケットが吸着盤と本体枠との間に設けられるが、このブラケットはプラスチックから成形され、特殊な形状となりやすく、掃除し難い。そのため、スポンジに洗剤を付けて洗っても、ボックス式三角コーナーに比較すればぬめりの発生が少ないとはいえ、ぬめりを十分に除くことが難しい。また、吸着盤にも生ごみが付着しやすく、吸着盤にぬめりが生じるという新たな問題が生じる。
【００１０】
このように、特公平０５−０２０３２１号公報記載の三角コーナーでは、ブラケット、吸着盤が汚れやすく、ブラケットが掃除し難く、ぬめりの発生を十分に防止できず衛生的でないとともに、吸着盤で吸着、固定されているため、シンク回りの清掃が容易に行なえない。また、使用されるごみ袋が専用のものに限定される。
【００１１】
これに対して、特開２００３−２２６４０２号公報記記載の三角コーナーでは、本体枠と同一形状の保持枠を本体枠に被せ、本体枠、保持枠の間でごみ袋を挟持しており、専用のごみ袋を使用する必要はない。
しかし、ぬめり防除薬剤は使用後にごみとして処分する必要があり、新たなごみを生み、環境上好ましくない。
さらに、この三角コーナーは、ぬめり防除薬剤の収納部を設ける必要があるため、従来のボックス式三角コーナーと同様にプラスチックから成形されており、構成的に複雑化して生ごみの付着する表面積がかなりある。そのため、付着した生ごみの除去のためには、三角コーナーの隅々まで掃除する必要があり、ぬめり防除薬剤を使用してもぬめりの発生を十分に防止できない。
本考案では、ぬめりの発生を十分に防止できるフレーム式（フレーム形状）の三角コーナーの提供を目的としている。
【課題を解決するための手段】
【００１２】
請求項１に係る本考案によれば、三角コーナーは、線材からなる複数の脚部を持ち、略扇形のフレーム形状に線材から成形された本体枠と、本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠とを備えている。
【００１３】
請求項２に係る本考案によれば、三角コーナーは、線材からなる複数の脚部を持ち、略扇形のフレーム形状に線材から成形された本体枠と、本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠とを備え、保持枠は本体枠の３つの隅部を横切ってそれぞれ架設される３つのコーナー辺を隅部に持ち、線材からなる突出片が本体枠の隅部に内側から当接可能にコーナー辺から下方にそれぞれ延びている。
【００１４】
請求項３に係る本考案によれば、三角コーナーは、線材からなる複数の脚部を持ち、略扇形のフレーム形状に線材から成形された本体枠と、本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠とを備え、保持枠は本体枠の３つの隅部を横切ってそれぞれ架設される３つのコーナー辺を隅部に持ち、線材からなる突出片が本体枠の隅部に内側から当接可能にコーナー辺から下方にそれぞれ延び、脚部は本体枠に、突出片は保持枠にそれぞれ溶着されている。
【００１５】
請求項４に係る本考案によれば、三角コーナーは、線材からなる複数の脚部を持ち、略扇形のフレーム形状に線材から成形された本体枠と、本体枠上に配置可能で本体枠より大きな略相似形に線材からフレーム形状に成形され、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する保持枠とを備え、保持枠は本体枠の３つの隅部を横切ってそれぞれ架設される３つのコーナー辺を隅部に持ち、線材からなる突出片が本体枠の隅部に内側から当接可能にコーナー辺から下方にそれぞれ延び、本体枠は脚部と一体に、保持枠は突出片と一体に、線材を折曲加工してそれぞれ成形されている。
【考案の効果】
【００１６】
請求項１の本考案では、線材からフレーム形状に成形された脚付きの本体枠、保持枠を有しているにすぎず、吸着盤や特殊な形状のブラケットなどを有しないため、生ごみの付着する面積が極めて少なく、生ごみが付着し難い。そして、本体枠、保持枠が線材からフレーム形状に成形されているため、生ごみが付着しても掃除しやすく、たとえばそのフレーム形状に沿ってスポンジなどで拭くだけで生ごみを容易に取り除くことができ、ぬめりの発生を十分に防止でき、衛生面で優れる。
本体枠、保持枠の間にごみ袋を挟持させるという簡単な動作のみでごみ袋を装着でき、専用のごみ袋を使用する必要はない。
折り込まれたごみ袋の開口端を本体枠と本体枠上でその外側にずれて位置する保持枠の一部との間で挟持しているため、ごみ袋が下方に牽かれるにつれて、保持枠に対する開口端の巻装がさらに強化されて本体枠、保持枠の間でのごみ袋の開口端の挟持がさらに強固になり、ごみ袋が確実に保持される。
脚部を持ち、シンクに直接設置されるため、移動が容易で、シンク回りが容易に清掃でき、シンク回りの衛生面が保たれる。そして、移動自在であるため、手元に引き寄せてごみ袋にごみを投入、収納できるとともに、ごみ袋の着脱、取り外しや、三角コーナーの掃除も手元に引き寄せて行え、使い勝手のよいものが得られる。
【００１７】
請求項２の本考案では、線材からフレーム形状に成形された脚付きの本体枠、保持枠を有しているにすぎず、吸着盤や特殊な形状のブラケットなどを有しないため、生ごみの付着する面積が極めて少なく、生ごみが付着し難い。そして、本体枠、保持枠が線材からフレーム形状に成形されているため、生ごみが付着しても掃除しやすく、たとえばそのフレーム形状に沿ってスポンジなどで拭くだけで生ごみを容易に取り除くことができ、ぬめりの発生を十分に防止でき、衛生面で優れる。
本体枠、保持枠の間にごみ袋を挟持させるという簡単な動作のみでごみ袋を装着でき、専用のごみ袋を使用する必要はない。
折り込まれたごみ袋の開口端を本体枠と本体枠上でその外側にずれて位置する保持枠の一部との間で挟持しているため、ごみ袋が下方に牽かれるにつれて、保持枠に対する開口端の巻装がさらに強化されて本体枠、保持枠の間でのごみ袋の開口端の挟持がさらに強固になり、ごみ袋が確実に保持される。
脚部を持ち、シンクに直接設置されるため、移動が容易で、シンク回りが容易に清掃でき、シンク回りの衛生面が保たれる。そして、移動自在であるため、手元に引き寄せてごみ袋にごみを投入、収納できるとともに、ごみ袋の着脱、取り外しや、三角コーナーの掃除も手元に引き寄せて行え、使い勝手のよいものが得られる。
また、保持枠の突出片が本体枠の隅部の内側に当接可能に延びているため、突出片が本体枠の隅部の内側に当接することによって本体枠上での保持枠のずれが防止され、本体枠、保持枠の間にごみ袋を確実に挟持できる。
【００１８】
請求項３の本考案では、線材からフレーム形状に成形された脚付きの本体枠、保持枠を有しているにすぎず、吸着盤や特殊な形状のブラケットなどを有しないため、生ごみの付着する面積が極めて少なく、生ごみが付着し難い。そして、本体枠、保持枠が線材からフレーム形状に成形されているため、生ごみが付着しても掃除しやすく、たとえばそのフレーム形状に沿ってスポンジなどで拭くだけで生ごみを容易に取り除くことができ、ぬめりの発生を十分に防止でき、衛生面で優れる。
本体枠、保持枠の間にごみ袋を挟持させるという簡単な動作のみでごみ袋を装着でき、専用のごみ袋を使用する必要はない。
折り込まれたごみ袋の開口端を本体枠と本体枠上でその外側にずれて位置する保持枠の一部との間で挟持しているため、ごみ袋が下方に牽かれるにつれて、保持枠に対する開口端の巻装がさらに強化されて本体枠、保持枠の間でのごみ袋の開口端の挟持がさらに強固になり、ごみ袋が確実に保持される。
脚部を持ち、シンクに直接設置されるため、移動が容易で、シンク回りが容易に清掃でき、シンク回りの衛生面が保たれる。そして、移動自在であるため、手元に引き寄せてごみ袋にごみを投入、収納できるとともに、ごみ袋の着脱、取り外しや、三角コーナーの掃除も手元に引き寄せて行え、使い勝手のよいものが得られる。
また、保持枠の突出片が本体枠の隅部の内側に当接可能に延びているため、突出片が本体枠の隅部の内側に当接することによって本体枠上での保持枠のずれが防止され、本体枠、保持枠の間にごみ袋を確実に挟持できる。
さらに、脚部が本体枠に、突出片が保持枠に溶着されているため、強固な構成の三角コーナーが形成される。
【００１９】
請求項４の本考案では、線材からフレーム形状に成形された脚付きの本体枠、保持枠を有しているにすぎず、吸着盤や特殊な形状のブラケットなどを有しないため、生ごみの付着する面積が極めて少なく、生ごみが付着し難い。そして、本体枠、保持枠が線材からフレーム形状に成形されているため、生ごみが付着しても掃除しやすく、たとえばそのフレーム形状に沿ってスポンジなどで拭くだけで生ごみを容易に取り除くことができ、ぬめりの発生を十分に防止でき、衛生面で優れる。
本体枠、保持枠の間にごみ袋を挟持させるという簡単な動作のみでごみ袋を装着でき、専用のごみ袋を使用する必要はない。
折り込まれたごみ袋の開口端を本体枠と本体枠上でその外側にずれて位置する保持枠の一部との間で挟持しているため、ごみ袋が下方に牽かれるにつれて、保持枠に対する開口端の巻装がさらに強化されて本体枠、保持枠の間でのごみ袋の開口端の挟持がさらに強固になり、ごみ袋が確実に保持される。
脚部を持ち、シンクに直接設置されるため、移動が容易で、シンク回りが容易に清掃でき、シンク回りの衛生面が保たれる。そして、移動自在であるため、手元に引き寄せてごみ袋にごみを投入、収納できるとともに、ごみ袋の着脱、取り外しや、三角コーナーの掃除も手元に引き寄せて行え、使い勝手のよいものが得られる。
また、保持枠の突出片が本体枠の隅部の内側に当接可能に延びているため、突出片が本体枠の隅部の内側に当接することによって本体枠上での保持枠のずれが防止され、本体枠、保持枠の間にごみ袋を確実に挟持できる。
さらに、本体枠は脚部と一体に、保持枠は突出片と一体に線材から成形されているため、本体枠、保持枠という２部材のみで三角コーナーが構成できる。
【考案を実施するための最良の形態】
【００２０】
三角コーナーは、略扇形のフレーム形状に線材から成形された本体枠と、本体枠上に配置可能で本体枠より大きな略相似形に線材からフレーム形状に成形された保持枠とを備えて構成されている。そして本体枠は線材からなる複数の脚部を持ち、保持枠は、開口端が外側に折り込まれたごみ袋を保持し、その一部が本体枠の上で外側にずれて本体枠上に配置され、折り込まれたごみ袋の開口端を本体枠と本体枠上でその外側にずれて位置するその一部との間で挟持する。
【実施例】
【００２１】
以下、図面を参照しながらこの考案の実施の形態について詳細に説明する。
図１は、この考案の一実施例に係るフレーム式（フレーム形状）の三角コーナーの分解斜視図、図２は台所のシンク内に設置された三角コーナーの本体枠の側面図を示す。
図１に示すように、フレーム式三角コーナー１は、本体枠１０と、保持枠２０とを備えて構成されている。
本体枠１０は、たとえばステンレス鋼などの円形断面の線材から略扇形のフレーム形状に成形された基部１２を有して構成され、基部には、たとえば、複数の脚部、たとえば３本の脚部１４ａ〜１４ｃが設けられている。
【００２２】
本体枠１０の基部１２は、３つの湾曲部位１２ａ、１２ｂ、１２ｃと、扇形の左右の側辺となる直線状の辺１２ｄ、１２ｅと、頂辺となる部分円弧状の辺１２ｆとを持つ略扇形形状に成形されている。湾曲部位１２ａは２つの側辺１２ｄ、１２ｅの間に、湾曲部位１２ｂは側辺１２ｄ、頂辺１２ｆの間に、湾曲部位１２ｃは側辺１２ｅ、頂辺１２ｆの間にそれぞれ設けられて隅部（コーナー）を構成している。
【００２３】
本体枠１０の３つの脚部１４ａ〜１４ｃは、ステンレス鋼などの円形断面の線材(丸棒)を切断して形成され、脚部１４ａは扇のかなめとなる湾曲部位１２ａに溶着されて下方に延びている。また、頂辺１２ｆの中央から湾曲部位１２ｂ寄りで脚部１４ｂが、湾曲部位１２ｃ寄りで脚部１４ｃが頂辺１２にそれぞれ溶着されて下方に延びている。
【００２４】
三角コーナー１の設置される台所のシンク２は、図２に想像線で示すように、その隅部（コーナー）で傾斜した形状となっている。そのため、シンク２のコーナーに設置される湾曲部位１２ａの脚部１４ａ（本体枠のかなめとなる隅部の脚部）は、頂辺１２に設けられる他の脚部１４ｂ、１４ｃよりも短いもの、つまり高さの低いものとされる。
また、脚部１４ａ、１４ｂ、１４ｃの下端には取り外し可能な滑り止めキャップ１６が被着されている。滑り止めキャップは、たとえばゴム材からなる断面略Ｕ字形状のものとされる。
【００２５】
保持枠２０は、たとえばステンレス鋼などの円形断面の線材から本体枠１０と略相似形でそれよりも少し大きなフレーム形状に成形された基部２２を有して構成され、基部から突出片２４が下方に突出している。突出片２４は、ステンレス鋼などの円形断面の線材を切断して形成され、本体枠１２の隅部の数（湾曲部位の数）に対応して３本とされる。
【００２６】
保持枠２０の基部２２は、直線状の５つの辺２２ａ〜２２ｅと、部分円弧状の辺２２ｆとを有している。保持枠の基部２２も本体枠の基部１２と同様に略扇形形状に成形されており、図１に示すように、辺２２ｆを扇形の頂辺とする想像線で表された扇形Ｒを想定することができる。扇形Ｒの中心Ｏを想定すると、辺２２ｄ、２２ｅは扇形の側辺に対応し、側辺２２ｄ、２２ｅの間に辺２２ａが、側辺２２ｄ、頂辺２２ｆの間に辺２２ｂが、側辺２２ｅ、頂辺２２ｆの間に辺２２ｃが設けられて、コーナー辺となっている。
保持枠２０の３本の突出片２４ａ、２４ｂ、２４ｃは、本体枠１０（基部１２）を構成する線材の太さのたとえば３倍程度の長さとされ、コーナー辺２２ａ、２２ｂ、２２ｃの中心でコーナー辺に溶着されて下方向に突出している。
【００２７】
図３は、本体枠、保持枠を組み合わせた三角コーナーの斜視図を示し、（Ａ）は斜視図、（Ｂ）は平面図を示す。
保持辺の基部２２が本体枠の基部１２よりも大きな相似形状に成形されているため、本体枠１０の上に保持枠２０を配置されると、図３（Ａ）（Ｂ）に示すように、保持枠の一部である側辺２２ｄ、２２ｅ、頂辺２２ｆは、本体枠の対応する側辺１２ｄ、１２ｅ、頂辺１２ｆの外側に位置する。つまり、本体枠の辺１２ｄ〜１２ｆに対して保持枠の辺２２ｄ〜２２ｆが上で外側にずれて位置する。これに対して、保持枠のコーナー辺２２ａ、２２ｂ、２２ｃは、本体枠の対応する湾曲部位１２ａ、１２ｂ、１２ｃの内側で側辺の間、または、側辺と頂辺との間でその上に架け渡される。そして、保持枠２０の３本の突出片２４ａ、２４ｂ、２４ｃは本体枠の湾曲部位１２ａ、１２ｂ、１２ｃの内側にそれぞれ位置して下方に延びている。
【００２８】
保持枠１０上に保持枠２０を配置すると、図３（Ｂ）に示すように、保持枠２０の辺２２ａ、２２ｂ、２２ｃは本体枠の内側に配置されて、保持枠２０の３本の突出片２４ａ、２４ｂ、２４ｃは本体枠の湾曲部位１２ａ、１２ｂ、１２ｃの内側にそれぞれ位置し、保持枠の残りの辺２２ｄ、２２ｅ、２２ｆは本体枠の外側に配置される。そのため、保持枠２０を横に滑らす外力が保持枠に作用しても、３本の突出片２４ａ、２４ｂ、２４ｃが本体枠１０の湾曲部位１２ａ、１２ｂ、１２ｃの左右の内側のいずれかに当接されて保持枠のズレが規制、防止される。従って、外力による本体枠１０からのとび出し、離反が防止されて、保持枠２０は本体枠上に安定して配置される。
【００２９】
そして、三角コーナー１は、線材からフレーム形状に成形された脚付きの本体枠１０、保持枠２０を有しているにすぎず、吸着盤や特殊な形状のブラケットなどを有しないため、生ごみの付着する面積が極めて少なく、生ごみが付着し難い。そして、本体枠１０、保持枠２０が線材からフレーム形状に成形されているため、生ごみが付着しても掃除しやすく、ぬめりの発生を十分に防止でき、衛生面で優れる。たとえばそのフレーム形状に沿ってスポンジなどで拭くだけで生ごみを容易に取り除くことができる。線材として断面円形のものを使用しているため、スポンジなどでの掃除もしやすい。
【００３０】
掃除がしやすく、生ごみが付着しても容易に取り除くことができるため、ぬめり防除薬剤などの化学薬剤を使用することなく、ぬめりの発生が防止でき、新たなごみ（使用後の薬剤）を生みこともなく、安全で環境にやさしい三角コーナー１が得られる。
また、生ごみが付着し難いだけでなく、複雑な形状とならないため、洗剤なしの濡らしたスポンジでも簡単に生ごみが除かれて、ぬめりの発生が防止され、洗剤を使用しない点からも安全で環境にやさしいものとなる。
本体枠１０、保持枠２０は、ステンレスのようなさび難い鋼材の線材からいずれも成形されるため、三角コーナー１を長期にわたって使用できる。
【００３１】
本体枠の脚部１４を基部１２に、保持枠の突出片２４を基部２２にそれぞれ溶着した構成では、強固な構成の三角コーナー１が形成される。
また、脚部１４、突出片２４をその基部１２、２２と別体とせず、線材を折曲加工して、本体枠の脚部１４をその基部１２と、保持枠の突出片２４をその基部２２と線材からそれぞれ一体に成形してもよい。脚部１４、突出片２４を基部１２、１４と線材を折曲して一体に成形すれば、本体枠、保持枠という２部材（基部１２、２２の２部材）から三角コーナー１が構成できる。
【００３２】
図４は、ごみ袋の装着された三角コーナーを示し、（Ａ）は斜視図、（Ｂ）は平面図、（Ｃ）（Ｄ）は（Ｂ）の線Ｃ−Ｃ、線Ｄ−Ｄに沿った断面図を示す。
【００３３】
ごみ袋、たとえばメッシュのごみ袋３０が、以下のようにして三角コーナー１０に装着される。もちろん、この装着例は一例であり、これに限定されない。
まず、ごみ袋の開口端（上端）３２を外側に折り込みながら保持枠の基部２２にごみ袋３０を装着する。そして、保持枠の突出片２４ａ〜２４ｃが本体枠の湾曲部位１２ａ、１２ｂ、１２ｃの内側にそれぞれ位置するように、本体枠上に保持枠が配置される。このとき、折り込まれたごみ袋の開口端３２が保持枠２０の辺２０ａ〜２０ｆを巻いて本体枠の湾曲部位１２ａ〜１２ｃ、辺１２ｄ〜１２ｆの内側に入り込むように、保持枠２０は本体枠１０の上に置かれる。
【００３４】
折り込まれたごみ袋の開口端３２が保持枠２０の辺２０ａ〜２０ｆを巻いて本体枠の湾曲部位１２ａ〜１２ｃ、辺１２ｄ〜１２ｆの内側に入り込むように、保持枠２０を本体枠１０上に配置すれば、ごみ袋の開口端３２は、本体枠の隅部（コーナー）を除いて、本体枠、保持枠の間に挟持される。つまり、折り込まれたごみ袋の開口端３２は、本体枠、保持枠の側辺１２ｄ、２２ｄの間、および１２ｅ、２２ｅの間、さらに、保持枠の頂辺１２ｆ、２２ｆの間でそれぞれ挟持される。
【００３５】
このように、ごみ袋３０は、その開口端３２を本体枠、保持枠間に挟持するだけで三角コーナー１に装着できる。従って、折り込まれた開口端３２が保持枠２０に装着されるごみ袋３０であれば三角コーナー１に装着でき、使用されるごみ袋は専用のものに限定されず、一般のごみ袋が広範囲に使用できる。メッシュのごみ袋のような水はけのよいものを使用すれば生ごみの水分が十分に除去でき、好ましいとはいえ、スーパーのレジ袋など一般的なごみ袋もその底部に孔をあけるなどによって使用できる。
【００３６】
また、保持枠２０を本体枠１０上に配置するとき、折り込まれたごみ袋の開口端３２が保持枠２０の辺２０ａ〜２０ｆを巻いて本体枠の湾曲部位１２ａ〜１２ｃ、辺１２ｄ〜１２ｆの内側に入るようにごみ袋３０を装着すれば足り、ごみ袋３０が三角コーナー１に容易に装着できる。
【００３７】
ごみ袋３０に大量のごみが投入、収納されると、ごみ袋３０を下方に引く牽引力Ｆが加わる。しかし、本体枠の辺（側辺、頂辺）１２ｄ〜１２ｆに対して保持枠の一部、つまりその辺（側辺、頂辺）２２ｄ〜２２ｆが本体枠上で外側にずれて位置することにより、本体枠１０と保持枠２０との間でごみ袋の開口端３２を挟持している。この構成では、ごみ袋３０を下方に引く牽引力Ｆが作用すると、ごみ袋が下方に牽かれるにつれて、保持枠の側辺１２ｄ、１２ｅ、頂辺２ｆに対する開口端３２の巻装がさらに強化されて本体枠、保持枠の間での開口端３２の挟持がさらに強固になる。そのため、ごみ袋３０に大量のごみが収納されても、ごみ袋はごみの重さに耐えることができ、保持枠２０から容易に外れず、保持枠に確実に保持される。
【００３８】
上記のように、保持枠２０の辺２２ａ、２２ｂ、２２ｃが本体枠の隅部を横切って架設され、保持枠２０の３本の突出片２４ａ、２４ｂ、２４ｃは本体枠の湾曲部位１２ａ、１２ｂ、１２ｃの内側にそれぞれ位置している。そのため、保持枠２０を横に滑らす外力が保持枠に作用しても、３本の突出片２４ａ、２４ｂ、２４ｃが本体枠１０の湾曲部位１２ａ、１２ｂ、１２ｃの左右の内側のいずれかに当接されて保持枠のズレが規制、防止され、外力による本体枠１０からのとび出し、離反が防止され、保持枠２０が本体枠上に安定して配置される。従って、ごみ袋３０を本体枠１０、保持枠２０間に確実に挟持できる。
【００３９】
シンク２の傾斜した隅部（コーナー）に位置するかなめの脚部１４ａを他の脚部１４ｂ、１４ｃに比較して短くしているため、三角コーナー１はシンク２内に略水平に設置できる。さらに、脚部１４ａ、１４ｂ、１４ｃの下端に滑り止めキャップ１６を取付けているため、シンク２の傾斜した隅部に三角コーナー１を設置しても、滑ってその設置位置を変えることもなく、シンクの所定位置に三角コーナーを安定して設置できる。そして、滑り止めのキャップ１４ａ〜１４ｃがその被着位置を調整できるため、脚部の高さをシンク２の形状に対応して調整でき、三角コーナー１をシンク２内に正しく水平に設置できる。
【００４０】
滑り止めキャップ１６は取り外し可能であるため、掃除が容易に行え、生ごみの付着を防止でき、ぬめりの発生を十分に阻止できる。
さらに、吸着盤で吸着して設置する構成とは異なり、脚部を持ち、シンクに直接設置される構成であるため、三角コーナー１の移動が容易でシンク回りが容易に清掃でき、シンク回りの衛生面が保たれる。また、移動自在であるため、三角コーナー１を手元に引き寄せてごみ袋３０にごみを投入、収納できるとともに、ごみ袋の着脱、取り外しや、三角コーナーの掃除も手元に引き寄せて行え、使い勝手のよい三角コーナーが得られる。
【００４１】
保持枠２０を持ち上げて本体枠１０から離反し、ごみ袋３０を下に引けば、その開口端３２が本体枠１０、保持枠２０の間から上に抜けて、ごみ袋は三角コーナー１から簡単に取り外される。
ごみ袋３０は、三角コーナー１から上に抜いて取り外される。しかし、箸などの大きなごみによりごみ袋３０が拡幅されて上に抜けなければ、本体枠、保持枠の間から抜いたその開口端３２を閉じ、いずれかの脚部を持って本体枠を斜めに持ち上げれば、脚部と脚部との拡大した隙間からごみ袋を破損させることなく下方に抜き出すことができる。
また、ごみ袋の開口端３２を本体枠１０、保持枠２０間に挟持してごみ袋３０を吊り下げる構成であるため、水切りがよく、生ごみから水分が効率よく除かれ、ごみ袋に収納されるごみの重さを最小にできる。
【００４２】
上記のように本考案によれば、専用のごみ袋を使用する必要がなく、汚れが付き難く、清掃しやすく衛生的で、容易に移動できる三角コーナーが得られる。また、ぬめり防除薬剤などの化学薬剤を使用していないため、新たなごみ（使用後の薬剤）を生むこともない。
ごみ袋が下方に牽かれるにつれて、保持枠に対する開口端の巻装がさらに強化されて本体枠、保持枠の間でのごみ袋の開口端の挟持がさらに強固になり、ごみ袋が確実に保持される。
【００４３】
保持枠の突出片が本体枠のコーナーの内側に当接可能に延びた構成とすれば、突出片が本体枠の隅部の内側に当接することによって本体枠上での保持枠のずれが防止され、本体枠、保持枠の間にごみ袋を確実に挟持できる。
【００４４】
脚部が本体枠に、突出片が保持枠のコーナー辺に溶着された構成とすれば、強固な構成の三角コーナーが形成される。
本体枠が脚部と一体に、保持枠が突出片と一体に線材から成形された構成とすれば、本体枠、保持枠という２部材のみで三角コーナーが構成できる。
【００４５】
上述した実施例は、この考案を説明するためのものであり、この発明を何等限定するものでなく、この発明の技術範囲内で変形、改造等の施されたものも全てこの発明に包含されることはいうまでもない。
【００４６】
たとえば、本体枠に設けた脚部の数、取付け位置、形状などは、実施例のものに限定されず、必要に応じて変えてもよい。また、線材は強度の上から鋼材、鋼材の中でもさび難いステンレスが好ましいとはいえ、強度が十分であればプラスチックの線材から本体枠、保持枠を成形してもよい。なお、通常、本体枠、保持枠は同一の素材の線材から成形されるが、異なる素材の線材から成形してもよい。また、線材として円形断面のもの（丸棒）がよいとはいえ、円形断面の線材に限定されない。
【産業上の利用可能性】
【００４７】
本考案は、台所のシンクなどで使用される三角コーナーに適するとはいえ、駅構内などに設置されるごみ箱や家庭用のそのほかのごみ箱などにも広範囲に応用できる。この場合には、本考案は、線材からなる複数の脚部を持ち、略扇形、略矩形などの円形以外のフレーム形状に線材から成形された本体枠と、本体枠上に配置可能で本体枠より大きな略相似形に線材からフレーム形状に成形され、開口端が外側に折り込まれたごみ袋を保持して本体枠上に配置されて、ごみ袋の折り込まれた端を本体枠との間で挟持する保持枠とを有したごみ箱として構成される。
【図面の簡単な説明】
【００４８】
【図１】この考案の一実施例に係るに係るフレーム式（フレーム形状）の三角コーナーの分解斜視図を示す。
【図２】台所のシンク内に設置された三角コーナーの本体枠の側面図を示す。
【図３】本体枠、保持枠を組み合わせた三角コーナーの斜視図を示し、（Ａ）は斜視図、（Ｂ）は平面図を示す。
【図４】ごみ袋の装着された三角コーナーを示し、（Ａ）は斜視図、（Ｂ）は平面図、（Ｃ）（Ｄ）は（Ｂ）の線Ｃ−Ｃ、線Ｄ−Ｄに沿った断面図を示す。
【符号の説明】
【００４９】
１                    三角コーナー
２                    台所のシンク
１０                    本体枠
１２                    基部
１２ａ、１２ｂ、１２ｃ  湾曲部位
１２ｄ、１２ｅ          側辺
１２ｆ                  頂辺
１４ａ、１４ｂ、１４ｃ  脚部
１６                    滑り止めキャップ
２０                    保持枠
１２                    基部
２２ａ、２２ｂ、２２ｃ  コーナー辺
２２ｄ、２２ｅ          側辺
２２ｆ                  頂辺
２４ａ、２４ｂ、２４ｃ  突出片
３０                    ごみ袋
３２                    開口端
【図１】
0003132623.tif 000003
【図２】
0003132623.tif 000004
【図３】
0003132623.tif 000005
【図４】
0003132623.tif 000006